(57)【特許請求の範囲】
【請求項１】
第１格納領域に関連するClass情報を含む第１メッセージを受信する過程と、
前記第１メッセージのClass情報に基づいて、前記第１格納領域に空の領域が存在するかをチェックする過程と、
該チェックの結果、空の領域が存在しないと、前記第１格納領域に、該第１格納領域に関連しないClass情報を含む第２メッセージが存在するかを判断する過程と、
前記第２メッセージを前記第１格納領域から第２格納領域に移動させる過程と、
前記受信された第１メッセージを前記第１格納領域に格納する過程と、を順次行うことを特徴とする移動端末機のメッセージ格納方法。
【請求項２】
前記第１格納領域は、SIM(Subscriber  Identity  Module)であって、前記第２格納領域は、ME（Mobile  Equipment）の内部メモリであることを特徴とする請求項１記載の移動端末機のメッセージ格納方法。
【請求項３】
前記第1格納領域は、前記受信された第１メッセージに包含されたClass情報により判別されることを特徴とする請求項１記載の移動端末機のメッセージ格納方法。
【請求項４】
前記受信された第１メッセージのClass情報は、「Class  2」であることを特徴とする請求項３記載の移動端末機のメッセージ格納方法。
【請求項５】
前記第２メッセージのClass情報は、前記端末機の他の格納領域を示すことを特徴とする請求項１記載の移動端末機のメッセージ格納方法。
【請求項６】
前記第２メッセージは、Class情報が割当されないメッセージであることを特徴とする請求項４記載の移動端末機のメッセージ格納方法。
【請求項７】
前記第１および第２格納領域は、夫々、ME（Mobile  Equipment)及びTE（Terminal  Equipment）の内部メモリであることを特徴とする請求項１記載の移動端末機のメッセージ格納方法。
【請求項８】
前記受信された第１メッセージのClass情報は、「Class  1」であることを特徴とする請求項３記載の移動端末機のメッセージ格納方法。
【請求項９】
受信された第1メッセージのClass情報を検出する過程と、
該検出されたClass情報に該当する第１格納領域に空の領域が存在するかをチェックする過程と、
該第１格納領域に空の領域が存在しないと、前記第１格納領域で、該第１格納領域に関連しないClass情報を含む移動可能な第２メッセージを検出する過程と、
該検出された第２メッセージを第２格納領域に移動させた後、前記第１格納領域に前記第１メッセージを格納する過程と、を順次行うことを特徴とする移動端末機のメッセージ格納方法。
【請求項１０】
前記第１および第２メッセージは、それぞれ、SMS(Short  Message  Service）メッセージであることを特徴とする請求項９記載の移動端末機のメッセージ格納方法。
【請求項１１】
前記検出されたClass情報が「Class  ０」又は「Class  ３」であると、前記受信された第１メッセージを唯ディスプレイする過程が追加して包含されることを特徴とする請求項９記載の移動端末機のメッセージ格納方法。
【請求項１２】
前記検出されたClass情報が「Class  1」であると、前記第１および第２格納領域は、夫々、ME（Mobile  Equipment)及びTE（Terminal  Equipment）の内部メモリであることを特徴とする請求項９記載の移動端末機のメッセージ格納方法。
【請求項１３】
前記検出されたClass情報が「Class  2」であると、前記第１格納領域はSIMで、前記第2格納領域はMEの内部メモリであることを特徴とする請求項９記載の移動端末機のメッセージ格納方法。
【請求項１４】
前記第２メッセージは、Class情報が割当されないメッセージであることを特徴とする請求項９記載の移動端末機のメッセージ格納方法。
【請求項１５】
前記第１格納領域に空の格納領域及び第２メッセージが全て存在しないと、前記第１メッセージの受信を拒否する過程が追加して包含されることを特徴とする請求項９記載の移動端末機のメッセージ格納方法。
【請求項１６】
第１メッセージが受信されると、SIM(Subscriber  Identity  Module)に空の格納領域が存在するかをチェックする過程と、
前記SIMに空の格納領域が存在しないと、前記第1メッセージのClass情報が「Class 2」であるかをチェックする過程と、
前記第1メッセージのClass情報が「Class 2」であると、第２メッセージのClass情報に基づいて前記SIMに移動可能な第２メッセージが存在するかをチェックする過程と、
前記第2メッセージが存在すると、該第2メッセージをME（Mobile  Equipment)に移動させる過程と、
前記第1メッセージを前記SIMに格納する過程と、を順次行うことを特徴とする移動端末機のメッセージ格納方法。
【請求項１７】
前記第１および第２メッセージは、それぞれ、SMS(Short  Message  Service）メッセージであることを特徴とする請求項１６記載の移動端末機のメッセージ格納方法。
【請求項１８】
前記第2メッセージは、Class情報が割当されないメッセージであることを特徴とする請求項１６記載の移動端末機のメッセージ格納方法。
【請求項１９】
前記SIM内に空の格納領域及び第2メッセージが全て存在しないと、前記第１メッセージの受信を拒否する過程が追加して包含されることを特徴とする請求項１６記載の移動端末機のメッセージ格納方法。
【発明の詳細な説明】
【０００１】
【発明の属する技術分野】
本発明は、GSM(Global  System  for  mobile  communication)端末機に係るもので、詳しくは、Class情報によってSMS(Short  Message  Service）メッセージを効率的に格納し得るSMSメッセージの格納方法に関するものである。
【０００２】
【従来の技術】
最近、移動通信端末機の急速な普及に随伴して家庭又は事務室の有線電話よりも移動通信端末機の利用が増大されている。該移動通信端末機は、音声、文字及び画像情報を無線に送受信し得る携帯用機器であって、一般的な音声通話サービスと共に、各種メッセージ伝送サービスを遂行し、別して、GSM(Global  System  for  mobile  communication)端末機とCDMA（Code  Division  Multiple  Access)端末機とに区分される。
【０００３】
その中でも、GSM端末機は、時分割多重接続方式を使用するヨーロッパ型端末機であって、加入者の識別及び認証のために加入者識別モジュール(Subscriber  Identity  Module：以下、SIMカードと略称する）を使用している。又、該SIMカードは、GSM端末機に着脱されるスマートカード(Smart  card)であって、マイクロプロセッサ及びメモリから構成される。該メモリには、SIMカード所有者の個人情報(e.g.認証情報)、端末機を動作させるための各種情報(電話番号及びネットワーク番号)及びSMSメッセージが格納される。
【０００４】
従って、使用者は、SIMインターフェースを支援する他のGSM端末機に自身のSIMカードを装着した後、使用者認証過程を通して所望の通信サービスの提供を受けることができるようになる。
【０００５】
そして、従来のGSMシステムにおいては、図3に示したように、各GSM端末機100-1、100-2と、交換局(Mobile  Switching  Center：以下、MSCと略称する)110と、該MSC110に接続されてそれらGSM端末機100-1、100-2間に伝送されるSMSメッセージを中継するSMSサービスセンター(SMSC)120と、を包含して構成される。
【０００６】
且つ、それらGSM端末機100-1、100-2は、夫々基地局サブシステム(Base  Station  Subsystem)130-1、130-2を通してMSC110と通信し、前記SMSC120は、SMSゲートウェイ(Gateway)を通してMSC110に接続される。この時、各基地局サブシステム130-1、130-2は、夫々基地局制御機(Base  station  controller：以下、BSCと略称する)及び複数の基地局(Basestation：BS）を包含する。
【０００７】
又、各GSM端末機100-1、100-2は、SIMカード200及び移動装置(Mobile  Equipment：以下、MEと略称する)201を包含し、I/O接続部50を通してワークステーション(Workstation）及びシリアルPC(Serial  PC）のような外部の端末装置(Terminal  Equipment：以下、TEと略称する)202に接続される。
【０００８】
又、前記ME201は、SIMカード200を除外した部分であって、該SIMカード200と結合してGSM端末機を構成する。前記ME201は内部メモリを包含し、該内部メモリには短文メッセージ及びその他の情報が格納される。
【０００９】
以下、このように構成されたGSMシステムにおけるGSM端末機の短文メッセージ格納方法に対し、説明する。
【００１０】
GSM端末機100-1で作成されたSMSメッセージは、基地局サブシステム130-1及びMSC110を通してSMSC120に伝送される。次いで、該SMSC120は、受信されたSMSメッセージから着信番号を判別した後、該受信されたSMSメッセージをMSC110及び基地局サブシステム130-2を通してGSM端末機100-2に伝送する。
【００１１】
この時、前記SMSC120は、SMSメッセージを伝送する時に該当のSMSメッセージが格納される位置を指定するClass情報を一緒に伝送するが、該Class情報は、次のように4種類に区分される。
【００１２】
1)Class  0：Display  only
2)Class  1：SMSメッセージをME(端末機の内部メモリ)に格納
3)Class  2：SMSメッセージをSIMカードに格納
4)Class  3：SMSメッセージをTEに格納
即ち、前記SMSC120は、SMSメッセージを単純にディスプレイする場合にはClass  0を伝送し、ME201に格納するべきであるSMSメッセージの場合にはClass  1を伝送する。そしてSIMカード200に格納するべきであるSMSメッセージの場合にはClass  2を伝送し、外部のTE202に格納するべきであるSMSメッセージの場合にはClass  3を伝送する。又、前記SMSC120は、SMS  Class情報を指定することなく、SMSメッセージを伝送することができる。
【００１３】
従って、前記SMSC120からSMSメッセージが受信されると、GSM端末機100-2は受信されたSMSメッセージにClass情報が存在するかをチェックし、Class情報が存在すると、該当のClass情報を参照してSMSメッセージをディスプレイするか、又はSIMカード200、ME201及びTE202中、何れか一つに格納する。
【００１４】
反面、前記受信されたSMSメッセージにClass情報が存在しない場合、GSM端末機100-2は、予め設定された格納優先順位に従ってSMSメッセージを格納する。例えば、前記GSM端末機100-2は、受信されたSMSメッセージを先にSIMカード200に格納し、該SIMカード200のメッセージ格納空間が満ちた(full)場合のみにSMSメッセージをME201に格納する。
【００１５】
【発明が解決しようとする課題】
然るに、このような従来のGSMシステムにおいては、SMSCがClass情報を伝送しない場合、GSM端末機は、格納優先順位に従って受信されたSMSメッセージをSIMカードに先に格納する。然し、SIMの格納空間が満ちた状態で若し、Class  2に指定されたSMSメッセージが追加して受信されると、GSM端末機は、MEの内部メモリに格納空間が充分に残っているにもかかわらず、それ以上Class  2のSMSメッセージを受信し得ないという不都合な点があった。
【００１６】
又、MEの内部メモリが満ちた状態で、Class  1に指定されたSMSメッセージが受信されると、GSM端末機は、それ以上SMSメッセージを受信し得ないという不都合な点があった。
【００１７】
且つ、このような問題点を解決するときには、端末機使用者が端末機に格納されたSMSメッセージを頻繁に確認して不必要なSMSメッセージを削除しなければならないため、使用上不便であるという不都合な点があった。
【００１８】
即ち、従来のGSM端末機のSMS格納方法においては、SMS  Classの所望の格納領域にSMSメッセージを効率的に格納し得ないし、特に、メッセージ受信率が低下することで、使用者にSMSサービスの信頼性を提供し得ないという不都合な点があった。
【００１９】
本発明は、このような従来の課題に鑑みてなされたもので、SMS  Classのメッセージ格納領域を効率的に使用し得る端末機のSMSメッセージ格納方法を提供することを目的とする。
【００２０】
又、SMSメッセージの受信率を向上し得る端末機のSMSメッセージ格納方法を提供することを目的とする。
【００２１】
又、SIMカードの格納領域がFullの状態でもClass  2のSMSメッセージを效果的に格納し得る端末機のSMSメッセージ格納方法を提供することを目的とする。
【００２２】
又、SMSサービスの信頼性を保証し得る端末機のSMSメッセージ格納方法を提供することを目的とする。
【００２３】
【課題を解決するための手段】
このような目的を達成するため、本発明に係るGSM端末機のSMSメッセージ格納方法においては、SMS(Short  Message  Service）メッセージを受信する過程と、第1格納領域に空の領域が存在するかをチェックする過程と、空の領域が存在しないと、第1格納領域に格納された所定のSMSメッセージを第2格納領域に移動させる過程と、受信されたSMSメッセージを第1格納領域に格納する過程と、を順次行うことを特徴とする。
【００２４】
又、前記第1格納領域はSIM(Subscriber  Identity  Module)で、第2格納領域はME（Mobile  Equipment)であることを特徴とする。
【００２５】
又、前記第1SMSメッセージのClassは、"Class  1"又は"Class  2"であることを特徴とする。
【００２６】
又、前記第1格納領域はMEで、前記第2格納領域はTE（Terminal  Equipment)であることを特徴とする。
【００２７】
又、前記第2SMSメッセージは、Classが割当されないSMSメッセージであることを特徴とする。
【００２８】
又、本発明に係るGSM端末機のSMSメッセージ格納方法においては、受信された第1メッセージのSMS  Classを検出する過程と、該検出されたSMS  Classに該当する第1格納領域に空の領域が存在するかをチェックする過程と、前記第1格納領域に空の領域が存在しないと、第1格納領域で移動可能な第2メッセージを検出する過程と、該検出された第2メッセージを第2格納領域に移動させた後、第1格納領域に第1メッセージを格納する過程と、を順次行うことを特徴とする。
【００２９】
又、前記SMSメッセージ格納方法は、検出されたSMS  Classが0又は3であると、受信されたSMSメッセージを唯ディスプレイする過程が追加して包含されることを特徴とする。
【００３０】
又、前記検出されたSMS  Classが1であると、第1、第2格納領域は、夫々ME（Mobile  Equipment)及びTE（Terminal  Equipment）の内部メモリであることを特徴とする。
【００３１】
又、前記検出されたSMS  Classが2であると、第1格納領域はSIMで、第2格納領域はMEの内部メモリであることを特徴とする。
【００３２】
又、前記第2メッセージは、Classが割当されないSMSメッセージであることを特徴とする。
【００３３】
又、本発明に係るGSM端末機のSMSメッセージ格納方法においては、第1メッセージが受信されると、SIMに空の格納領域が存在するかをチェックする過程と、前記SIMに空の格納領域が存在しないと、第1メッセージのSMS  Classが2であるかをチェックする過程と、前記第1メッセージのSMS  Classが2であると、SIMに移動可能な第2メッセージが存在するかをチェックする過程と、前記第2メッセージが存在すると、第2メッセージをME（Mobile  Equipment)に移動させる過程と、前記第1メッセージをSIMに格納する過程と、を順次行うことを特徴とする。
【００３４】
又、前記第1、第2メッセージはSMS(Short  Message  Service）メッセージで、前記第2メッセージはClassが割当されないSMSメッセージであることを特徴とする。
【００３５】
又、前記方法は、前記SIMに空の格納領域及び第2メッセージが全て存在しないと、第1メッセージの受信を拒否する過程が追加して包含されることを特徴とする。
【００３６】
本発明のGSM端末機のSMSメッセージ格納方法は、SMS（Short  Message  Service)メッセージを受信する過程と、第1格納領域に空の領域が存在するかをチェックする過程と、該チェックの結果、空の領域が存在しないと、第1格納領域に格納された所定のSMSメッセージを第2格納領域に移動させる過程と、前記受信されたSMSメッセージを第1格納領域に格納する過程と、を順次行うことを特徴とする。
【００３７】
又、前記第1格納領域は、SIM(Subscriber  Identity  Module)であって、前記第2格納領域は、ME（Mobile  Equipment）の内部メモリであることを特徴とする。
【００３８】
又、前記第1格納領域は、受信されたSMSメッセージに包含されたClass情報により判別されることを特徴とする。
【００３９】
又、前記受信されたSMSメッセージのClassは、Class  2であることを特徴とする。
【００４０】
又、前記所定のSMSメッセージは、受信されたSMSメッセージ及び他のClassを有するメッセージであることを特徴とする。
【００４１】
又、前記所定のSMSメッセージは、Classが割当されないSMSメッセージであることを特徴とする。
【００４２】
又、前記第1、第2格納領域は、夫々ME（Mobile  Equipment)及びTE（Terminal  Equipment）の内部メモリであることを特徴とする。
【００４３】
又、前記受信されたSMSメッセージのClassは、"Class  1"であることを特徴とする。
【００４４】
本発明のGSM端末機のSMSメッセージ格納方法は、受信された第1メッセージのSMS  Classを検出する過程と、該検出されたSMS  Classに該当する第1格納領域に空の領域が存在するかをチェックする過程と、該第1格納領域に空の領域が存在しないと、第1格納領域で移動可能な第2メッセージを検出する過程と、該検出された第2メッセージを第2格納領域に移動させた後、第1格納領域に第1メッセージを格納する過程と、を順次行うことを特徴とする。
【００４５】
又、前記第1、第2メッセージは、SMS(Short  Message  Service）メッセージであることを特徴とする。
【００４６】
又、前記検出されたSMS  Classが0又は3であると、受信されたSMSメッセージを唯ディスプレイする過程が追加して包含されることを特徴とする。
【００４７】
又、前記検出されたSMS  Classが1であると、第1、第2格納領域は、夫々ME（Mobile  Equipment)及びTE（Terminal  Equipment）の内部メモリであることを特徴とする。
【００４８】
又、前記検出されたSMS  Classが2であると、第1格納領域はSIMで、第2格納領域はMEの内部メモリであることを特徴とする。
【００４９】
又、前記第2メッセージは、Classが割当されないSMSメッセージであることを特徴とする。
【００５０】
又、前記第1格納領域に空の格納領域及び第2メッセージが全て存在しないと、第1メッセージの受信を拒否する過程が追加して包含されることを特徴とする。
【００５１】
本発明のGSM端末機のSMSメッセージ格納方法は、第1メッセージが受信されると、SIM(Subscriber  Identity  Module)に空の格納領域が存在するかをチェックする過程と、前記SIMに空の格納領域が存在しないと、第1メッセージのSMS  Classが2であるかをチェックする過程と、前記第1メッセージのSMS  Classが2であると、前記SIMに移動可能な第2メッセージが存在するかをチェックする過程と、前記第2メッセージが存在すると、該第2メッセージをME（Mobile  Equipment)に移動させる過程と、前記第1メッセージを前記SIMに格納する過程と、を順次行うことを特徴とする。
【００５２】
又、前記第1、第2メッセージは、SMS(Short  Message  Service）メッセージであることを特徴とする。
【００５３】
又、前記第2メッセージは、Classが割当されないSMSメッセージであることを特徴とする。
【００５４】
又、前記SIM内に空の格納領域及び第2メッセージが全て存在しないと、第1メッセージの受信を拒否する過程が追加して包含されることを特徴とする。
【００５５】
【発明の実施の形態】
以下、本発明の実施の形態に対し、図面を用いて説明する。
【００５６】
一般に受信されたSMSメッセージは、SMS  Classに従って格納位置が決定されるため、メモリの活用能力及び大きさによってメッセージの受信率が決定される。本発明は、SIMカード及び端末機(ME）の内部メモリに格納された特定SMSメッセージを他の領域に移動させることで、メモリを効率的に使用してSMSメッセージの受信率を向上し得る方案を提案する。この時、前記SMSメッセージの移動は、SMS  Classに基づいて遂行される。
【００５７】
図1は、本発明に係るGSM端末機のSMSメッセージ伝送方法の第1実施形態を示したフローチャートであって、その動作は、図3のGSMシステムを準用して遂行される。この時、説明の便宜のため、SMSメッセージは、GSM端末機100-2からGSM端末機100-1に伝送されるものであると仮定する。
【００５８】
次いで、SMSC120からSMSメッセージが受信されると、GSM端末機100-1は、SMSメッセージからClass  情報を検出した後、該検出されたClass  情報が'Class  0'であるかを判断する(S100)、(S101)。
【００５９】
該判断結果、前記検出されたClassが'Class  0'であると、GSM端末機100-1は該当のSMSメッセージを画面にディスプレイし(S102)、前記検出されたClassがClass  0でないと(Class  1又はClass  2)、前記検出されたClass情報に該当する格納領域の状態をチェックする(S103)。又、前記格納領域は、SIMカード又はME中、何れか一つである。
【００６０】
若し、格納領域にSMSメッセージの格納が可能でないと(即ち、空の領域が存在しないと)、GSM端末機100-1は、他の格納領域に移動可能なメッセージ、例えば、如何なるClass情報も有していないSMSメッセージ(class  not  given  message)が存在するかをチェックする(S104)。
【００６１】
該チェック結果、他の格納領域に移動可能なメッセージが存在しないと、GSM端末機100-1は、受信拒否を示す受信エラー信号をSMSC120に伝送した後、使用者にメッセージ受信エラーを通知する。
【００６２】
反面、他の格納領域に移動可能なメッセージが存在すると、GSM端末機100-1は、如何なるClass情報も有していないSMSメッセージを他の格納領域に移動させて空の領域を生成した後、該空の領域に前記新しいSMSメッセージを格納する。又、前記SMSメッセージは、SIMカードからMEに移動されるか、又はMEからTEに移動されることがある。
【００６３】
次いで、SMSメッセージの格納が完了すると、前記GSM端末機100-1は、SMSC120にメッセージの受信成功を知らせる信号を伝送する。次いで、再び新しいメッセージが受信されると、前記と同様な過程により前記SMSメッセージは、SIM及びMEに格納される。
【００６４】
このように、本発明に係るGSM端末機のSMSメッセージ伝送方法の第1実施形態は、GSM端末機100-1が端末機のI/O接続部を通して外部の端末装置(TE)202と接続された状態で、特定アプリケーションを通してSMSメッセージの伝達を受ける場合に適用し得る方法である。
【００６５】
図2は、本発明に係るGSM端末機のSMSメッセージ伝送方法の第2実施形態を説明するためのフローチャートである。該第2実施形態は、GSM端末機がTE202と接続されなかった場合に適用するための実施形態である。
【００６６】
図2に示したように、前記SMSメッセージが受信されると、前記GSM端末機100-1は、SMSメッセージからClass  情報を検出した後、該検出されたClass  情報がClass  2であるかを判断する(S200)、(S201)
該判断結果、前記検出されたClass  情報がClass  2でないと、GSM端末機100-1は、各Classに応じた格納動作を遂行し(S202)、前記Class  情報がClass  2であると、現在SIMカードの格納領域がフル(Full)状態であるかをチェックする(S203)。この時、前記過程(S200-S203）の順序は、必要によって変わるが、例えば、過程(S203）を先に遂行して過程(S200、S201）を後で遂行することもできる。
【００６７】
若し、SIMカードの格納領域がフル(Full)状態でないと、新しいSMSメッセージをSIMカードに格納し(S204)、SIMカードの格納領域がフル(Full)状態であると、SIMカードに格納されたSIMメッセージのClass情報を検出し(S205)、Class  2と相違なClass情報を有するSMSメッセージである如何なるClass情報も有していないSMSメッセージが存在するかをチェックする(S206)。
【００６８】
若し、SIMカードに如何なるClass情報も有していないSMSメッセージが存在しないと、即ち、SIMカードにClass  2のSMSメッセージのみが格納された場合、GSM端末機100-1は、新しいSMSメッセージを受信し得ないことを示す受信エラー信号をSMSC120に伝送した後、使用者にメッセージ受信エラーを通知する(S207、S208)。
【００６９】
反面、SIMカードに如何なるClass情報も有していないSMSメッセージが存在すると、GSM端末機100-1は、如何なるClass情報も有していないSMSメッセージをSIMカードからMEに移動させた後、前記受信された新しいSMSメッセージをSIMカードに格納する(S209、S210)。次いで、新しいメッセージの格納が完了すると、GSM端末機100-1は、SMSC120にメッセージの受信終了を知らせる信号を伝送する(S211)。
【００７０】
本発明は、GSM端末機100-1を例に挙げて説明したが、GSM端末機100-2がSMSメッセージを受信した場合も同様な方法によりSMSメッセージを格納することができる。
【００７１】
【発明の効果】
以上説明したように、本発明に係るGSM端末機のSMSメッセージ格納方法においては、各SMS  Classに該当されるSMSメッセージの格納空間が不足した場合、該当の格納領域内で相違なClass情報を有するSMSメッセージを他の格納領域に移動させた後、該当格納領域に新しいSMSメッセージを格納することで、受信されたSMSメッセージをClass情報に適合した格納領域に格納し得るようにし、SMS格納領域の利用効率を向上させてSMSメッセージの受信率を改善し得るという効果がある。
【００７２】
又、本発明に係るGSM端末機においては、SMSメッセージの格納領域の不足によって発生するSMSメッセージの受信エラーを防止することで、端末機の信頼性を向上し得るという効果がある。
【図面の簡単な説明】
【図１】本発明に係るGSM端末機のSMSメッセージ格納方法の第1実施形態を示したフローチャートである。
【図２】本発明に係るGSM端末機のSMSメッセージ格納方法の第2実施形態を示したフローチャートである。
【図３】従来のGSMシステムの構成を示したブロック図である。
【図４】図3のSIM、ME及びTE間接続関係を示した説明図である。
【符号の説明】
200  加入者識別モジュール(Subscriber  Identity  Module：SIM)
201  移動装置(Mobile  Equipment：ME)
202  端末装置(Terminal  Equipment：TE)
【図１】
0003863861.tif 000002
【図２】
0003863861.tif 000003
【図３】
0003863861.tif 000004
【図４】
0003863861.tif 000005